(57)【要約】【課題】有彩色の図柄が印刷された側から見ると、図柄を楽しむことができ、白色の側から見ると、図柄を白色で楽しむことができ、さらに、印刷の施されていない光透過部を有することで、屋外又は屋内からの採光を確保でき、パネルを通して反対側を見ることのできる光透過性薄板パネルを提供する。【解決手段】光透過性の薄板(40)に、有彩色図柄(20)と、前記有彩色図柄(20)のネガとポジを反転させ、２値化処理を施してなる白色図柄(30)と、を重ねて印刷した。【選択図】図３
2008080706.tif 000002
【特許請求の範囲】
【請求項１】
光透過性の薄板(40)に、
有彩色図柄(20)と、
前記有彩色図柄(20)のネガとポジを反転させ、２値化処理を施してなる白色図柄(30)と、
を重ねて印刷したことを特徴とする薄板パネル。
【請求項２】
白色図柄は、有彩色図柄(20)と薄板(40)との間に印刷される請求項１に記載の薄板パネル。
【請求項３】
白色図柄(30)は、有彩色図柄(20)の上面に印刷される請求項１に記載の薄板パネル。
【請求項４】
白色図柄(30)は、薄板パネルを挟んで、有彩色図柄(20)とは反対側の面に印刷される請求項１に記載の薄板パネル。
【請求項５】
薄板(40)の一方の面には、貼着用の接着剤を塗布してなる接着剤層(50)が形成されている請求項１乃至請求項４の何れかに記載の薄板パネル。
【請求項６】
光透過性の薄板(40)は、フィルム、アクリル板、プラスチック板又はガラス板である請求項１乃至請求項５に記載の薄板パネル。
【請求項７】
請求項１乃至請求項６の何れかに記載の薄板パネル(10)への印刷方法であって、
印刷される図柄を取り込み、取り込まれた図柄に画像処理し、画像データを得る画像処理手段と、該画像処理手段で得られた画像データを薄板(40)に印刷する印刷手段を用いて実施され、
印刷される図柄を画像処理手段に取り込み、有彩色画像データを得るステップ、
画像処理手段にて、得られた画像データのネガとポジを反転させ、二値化処理を施すことで白色画像データを得るステップ、
画像処理手段が、印刷手段に、有彩色画像データと、白色画像データを送信するステップ、
印刷手段により、上記で得られた有彩色画像データと、白色画像データを夫々薄板(40)に印刷するステップ、
とを有する薄板パネルへの印刷方法。
【発明の詳細な説明】
【技術分野】
【０００１】
本発明は、光の当たる方向及び見る方向によって、イメージの色彩が異なる光透過性の薄板パネルに関するものである。
【背景技術】
【０００２】
フィルムやガラス等の光透過性を有する薄板に、有彩色で図柄をドット印刷したパネルが知られている。
また、光透過性薄板に白色を全面にべた塗り印刷し、その上に有彩色の図柄をドット印刷したパネルもある。
【発明の開示】
【発明が解決しようとする課題】
【０００３】
前者のパネルは、何れの方向から見ても同じ色彩が同じであるため、見た目に趣きがない。
後者のパネルは、有彩色の図柄が印刷された側から見ると図柄を視認することができ、図柄を楽しむことができるが、白色の印刷が施された側から見ると、真っ白であり、全く図柄を楽しむことができず、趣きがない。また、白色をべた塗りしたことで、光の透過性よりも光反射性の方が大きくなるため、パネルを窓ガラス等に貼着すると、屋内が暗くなってしまい、採光性を十分に確保することができず、閉塞感を感じることがある。また、パネルを通して反対側を見ることもできない。
【０００４】
本発明の目的は、有彩色の図柄が印刷された側から見ると、図柄を楽しむことができ、白色の側から見ると、図柄を白色で楽しむことができ、さらに、印刷の施されていない光透過部を有することで、屋外又は屋内からの採光を確保でき、パネルを通して反対側を見ることのできる光透過性薄板パネルを提供することである。
【課題を解決するための手段】
【０００５】
上記課題を解決するために本発明の薄板パネルは、
光透過性の薄板に、
有彩色図柄と、
前記有彩色図柄のネガとポジを反転させ、２値化処理を施してなる白色図柄と、
を重ねて印刷した。
【０００６】
白色図柄は、有彩色図柄と薄板との間、有彩色図柄の上面、又は、薄板パネルを挟んで、有彩色図柄とは反対側の面に印刷することができる。
【０００７】
上記薄板パネルは、
印刷される図柄を取り込み、取り込まれた図柄を画像処理し、画像データを得る画像処理手段と、該画像処理手段で得られた画像データを薄板に印刷する印刷手段を用いて実施され、
印刷される図柄を画像処理手段に取り込み、有彩色画像データを得るステップ、
画像処理手段にて、得られた画像データのネガとポジを反転させ、二値化処理を施すことで白色画像データを得るステップ、
画像処理手段が、印刷手段に、有彩色画像データと、白色画像データを送信するステップ、
印刷手段により、上記で得られた有彩色画像データと、白色画像データを夫々薄板に印刷するステップ、
により作成することができる。
白色図柄は、有彩色図柄と薄板との間、有彩色図柄の上面、又は、薄板パネルを挟んで、有彩色図柄とは反対側の面に位置するように印刷する。
【発明の効果】
【０００８】
有彩色の側に光を当てた状態で、有彩色の側から見ると、有彩色の図柄を視認することができる。重ねて印刷された白色図柄の光反射光が有彩色を際立たせる。
また、有彩色の側に光を当てた状態で、反対の白色の側から見ると、透過光で有彩色の図柄と白色の図柄が視認される。
【０００９】
また、白色の印刷が施された側に光を当てた状態で、白色印刷の側から見ると、有彩色の図柄は見えず、有彩色図柄に対応して印刷された白色図柄に光が反射して、白色図柄が白色に視認される。
白色の印刷が施された側に光を当てて、有彩色の側から見ると、白色の図柄に対する透過度が高く有彩色の図柄の輪郭の明暗が強く見える。
【００１０】
本発明の薄板パネルを、有彩色図柄が屋外側、白色図柄が屋内側となるように窓ガラス等に貼着したり、窓ガラス自体を薄板パネルとして印刷すると、屋外の方が明るい昼間に、明るい屋外から薄板パネルを見たときに、有彩色の図柄が視認される。有彩色図柄及び白色図柄が印刷された部分は、白色の図柄の光反射性が強いため、明るい屋外から屋内を覗き込んでも、屋内は視認しにくいため、目隠し効果が高い。
また、屋外よりも暗い屋内側から薄板パネルを見ると、白色の図柄を視認できる。
さらに、屋内側から見たときに、図柄が白色であるため、落ち着いた雰囲気を醸し出すことができる。
【発明を実施するための最良の形態】
【００１１】
図１は、本発明の薄板パネル(10)の平面図、図２は、薄板パネル(10)の底面図、図３は、図１の線Ａ−Ａに沿う断面図である。なお、図３や後述する図４では、説明をわかりやすくするため、薄板(40)、有彩色図柄(20)及び白色図柄(30)は、厚さ方向に拡大して示している。
図に示すように、本発明の薄板パネル(10)は、光透過性の薄板(40)に、後述する図柄(有彩色図柄(20)及び白色図柄(30))を印刷して構成される。
光透過性の薄板(40)は、ガラス、フィルム、アクリル板又はプラスチック板等から構成することができ、フィルムの材質として、例えば、ポリエステル(ＰＥＴ)や塩化ビニル等を例示できる。
【００１２】
薄板(40)に印刷される図柄は、図１等に示すような草花、風景、人物、動物、幾何学模様、図形、その他のキャラクター等を例示することができる。なお、印刷される図柄は、薄板(40)の全面に印刷されるようなものではなく、薄板(40)の一部、好ましくは、図柄内に印刷が施されていない光透過部分が残る図柄であることが望まれる。作成された薄板パネル(10)に適当な光透過性を具備するためである。全面に印刷される場合には、光透過性を得るために、ドット印刷により、ドットの大きさを調整して、光透過部分が確保されるようにすることが望ましい。
図柄は、例えば、デジタルカメラで撮影された画像や、スキャナーにより取り込まれた画像、各種ソフトを用いて描かれたもの、インターネット等を用いてダウンロードされたもの等を例示することができる。
【００１３】
印刷される図柄は、公知の要領、方法でパソコン等の画像処理手段に入力される。画像処理手段は、パソコンに限定されず、プリンタ等に内蔵された装置でも構わない。
【００１４】
画像処理手段は、フローチャート図５に示すように、取り込まれた図柄から有彩色図柄(20)を印刷するための有彩色画像データを作成する(ステップ１)。画像処理手段は、作成された有彩色画像データから、例えば、シアン(Ｃ)、マゼンダ(Ｍ)、イエロー(Ｙ)に色分解され、各色の色データを作成する(ステップ２)。色データを作成したのは、後述する印刷手段に複数の色(ここではＣＭＹの三色と白色)の色インクで印刷するためのデータを送信するためである。これにより、色データは、有彩色図柄(20)を印刷する際に、印刷手段に送信することができる。
なお、色データは、ＣＭＹに限定されず、これらにさらに黒(Ｋ)を加えたデータとすることもできるし、ＲＧＢ(赤、緑、青)のデータでもよい。
【００１５】
また、画像処理手段は、前記有彩色画像データのネガとポジを反転させ(ステップ３)、得られたネガ・ポジデータに二値化処理を施す(ステップ４)。次に、これにより、白色図柄(30)に印刷される白色画像データが作成される(ステップ５)。このように白色画像データを作成することで、印刷される白色図柄(30)は、有彩色図柄(20)と対をなす(例えば図３参照)。
【００１６】
画像処理手段にて作成された有彩色画像データの各色データと、白色画像データは、印刷手段に送信され、薄板(40)に白色図柄(30)が印刷される(ステップ６)。印刷手段として、プリンタを例示できる。プリンタは、インクジェット式のもや、熱転写プリント方式のものを例示することができ、白色を印刷することができない印刷手段の場合、黒色インクを白色インクに交換することで、対応可能である。
図３に示す薄板パネル(10)を作成する場合、印刷手段は、先に白色画像データを薄板(40)に印刷し、次に、有彩色画像データを薄板(40)に印刷する(ステップ７)。これにより、図１、等に示すように、白色図柄(30)の上に有彩色図柄(20)が印刷され、図１の矢印Ａ側から見ると、有彩色図柄(20)が視認され、矢印Ｂ側から見ると、白色図柄(30)が視認される薄板パネル(10)が得られる。
【００１７】
なお、薄板(40)には、一方の面に接着剤を塗布してなる接着剤層(50)を形成することで、透明なガラス板等に貼着することができる。接着剤層には、剥離紙を貼着させておくことで、剥離紙を剥がすだけで、簡単にガラス板等に薄板パネル(10)を貼着することができる。
【００１８】
有彩色図柄(20)及び白色図柄(30)は、以下のパターンで薄板(40)に印刷することができる。
(１)図４Ａは、薄板(40)の上に白色図柄(30)、有彩色図柄(20)を順に印刷した薄板パネル(10)である(上記実施例にて説明済み)。
(２)図４Ｂは、薄板(40)の上に有彩色図柄(20)、白色図柄(30)を順に印刷した薄板パネル(10)である。
(３)図４Ｃは、薄板(40)の一方の面に有彩色図柄(20)、薄板(40)を挟んだ他方の面に白色図柄(30)を印刷した薄板パネル(10)である。
【００１９】
上記(１)〜(３)の何れの薄板パネル(10)も、有彩色図柄(20)と白色図柄(30)は、互いにズレなく重なるように印刷する。
(１)の薄板パネル(10)は、まず、薄板(40)に、白色図柄(30)を印刷した後、図４Ａに示すように、白色図柄(30)の上から、有彩色図柄(20)を印刷する。印刷は、例えば、住友スリーエム株式会社製のSPR-1000システムを用いて行なうことができる。
なお、必要に応じて、接着剤層(50)を形成することができる。
【００２０】
(２)の薄板パネル(10)は、まず、薄板(40)の上に、有彩色図柄(20)を印刷した後、図４Ｂに示すように、白色図柄(30)を印刷することで作成できる。
なお、必要に応じて、接着剤層(図示せず)を形成することができる。
【００２１】
また、(３)の薄板パネル(10)は、一方の面に有彩色図柄(20)を印刷した後、他方の面に、図４Ｃに示すように、白色図柄(30)を印刷することで作成できる。有彩色図柄(20)と白色図柄(30)の印刷順序は問わない。また、両面同時に印刷することもできる。
なお、必要に応じて、接着剤層(図示せず)を形成することができる。
【００２２】
上記のように有彩色図柄(20)及び白色図柄(30)を印刷することで、有彩色図柄(20)の側から見れば、図柄を楽しむことができ、白色図柄(30)の側から見れば、図柄の輪郭を楽しむことができる。また、窓ガラス等に貼着したり、窓ガラス自体を薄板(40)として印刷を施すことで、目隠しとなり、屋外から屋内を見えにくくすることができる。
【産業上の利用可能性】
【００２３】
本発明は、光の当たる方向及び見る方向によって、イメージの色彩が異なる光透過性の薄板パネルとして有用である。
【図面の簡単な説明】
【００２４】
【図１】本発明の薄板パネルの平面図である。
【図２】本発明の薄板パネルの底面図である。
【図３】図１の線Ａ−Ａに沿う断面図である。
【図４】本発明の異なる実施例を示す薄板パネルの断面図である。
【図５】本発明の薄板パネルの作成方法を示すフローチャート図である。
【符号の説明】
【００２５】
(10)  薄板パネル
(20)  有彩色図柄
(30)  白色図柄
(40)  薄板
【図１】
2008080706.tif 000003
【図２】
2008080706.tif 000004
【図３】
2008080706.tif 000005
【図４】
2008080706.tif 000006
【図５】
2008080706.tif 000007